(57)【要約】   本発明は、シートシェルと、シートのうち子供の胴体の背面を支持するべくバックレスト長手方向に沿って延在するバックレストと、シートベルトと、を備え、前記バックレストには、前記シートシェルに移動可能に配置されるとともに、前記シートベルトが配置された少なくとも１つのベルトポイントを有する上部バックレスト部が設けられた自動車シート用子供保護システムに関するものである。本発明によれば、前記バックレストの下部バックレスト部は、回転軸まわりに回転可能とされて前記シートシェルに配置され、前記下部バックレスト部は、当該下部バックレスト部に固定状に配置された連結部を有し、前記連結部が前記上部バックレスト部と相互作用することで、前記上部バックレスト部の移動によって、少なくとも１つのベルトポイントの位置とともに前記下部バックレスト部の傾斜が調節される。このようにして、構造上簡単で信頼性が高く、同時に子供保護システムにおいて簡便で使用者にとって使い勝手が良くなるように、子供用に快適且つ安全なシート位置の調節を可能とする子供保護がなされる。【選択図】      図１
2010538885.tif 000002
【特許請求の範囲】
【請求項１】
自動車シート用子供保護システムであって、
シートシェルと、
シートのうち子供の胴体の背面を支持するべくバックレスト長手方向に沿って延在するバックレストと、
シートベルトと、を備え、
前記バックレストには、前記シートシェルに移動可能に配置されるとともに、前記シートベルトが配置された少なくとも１つのベルトポイントを有する上部バックレスト部が設けられ、
前記バックレスト（２）の下部バックレスト部（３３）は、回転軸（３３ａ）まわりに回転可能とされて前記シートシェル（１）に配置され、前記下部バックレスト部（３３）は、当該下部バックレスト部に固定状に配置された連結部を有し、前記連結部が前記上部バックレスト部（３０）と相互作用することで、前記上部バックレスト部（３０）の移動によって、少なくとも１つのベルトポイント（３１，３２）の位置とともに前記下部バックレスト部（３）の傾斜が調節されることを特徴とする子供保護システム。
【請求項２】
請求項１に記載の子供保護システムであって、
前記上部バックレスト部（３０）が子供（Ｋ）の頭部及び上体を支持するよう構成され、前記下部バックレスト部（３３）が子供（Ｋ）の骨盤領域を支持するよう構成されていることを特徴とする子供保護システム。
【請求項３】
請求項１又は２に記載の子供保護システムであって、
前記上部バックレスト部（３０）は、前記バックレスト（２）が延在する前記バックレスト長手方向（Ｌ）に沿って移動可能とされていることを特徴とする子供保護システム。
【請求項４】
請求項１から３のうちのいずれか一項に記載の子供保護システムであって、
前記回転軸（３３ａ）は、前記バックレスト長手方向（Ｌ）に交差して延在していることを特徴とする子供保護システム。
【請求項５】
請求項１から４のうちのいずれか一項に記載の子供保護システムであって、
前記連結部（３１）は、前記下部バックレスト部（３３）に対し固定され、且つ、耐トルク性の形態で配設されていることを特徴とする子供保護システム。
【請求項６】
請求項１から５のうちのいずれか一項に記載の子供保護システムであって、
前記上部バックレスト部（３０）は、前記下部バックレスト部（３３）を回転させるべく、前記下部バックレスト部（３３）に固定状に配置された前記連結部（３４）に対して直接作用する接続状態を形成することを特徴とする子供保護システム。
【請求項７】
請求項１から６のうちのいずれか一項に記載の子供保護システムであって、
前記下部バックレスト部（３０）に固定状に配置された前記連結部（３４）の形状によって、前記下部バックレスト部（３３）の回転動作（Ｄ）が付与されることを特徴とする子供保護システム。
【請求項８】
請求項７に記載の子供保護システムであって、
前記連結部（３４）は、くさび形とされるとともに傾斜面を有し、前記傾斜面は、前記上部バックレスト部（３０）の移動時に前記下部バックレスト部（３３）を前記回転軸（３３ａ）まわりに回転させるべく、前記上部バックレスト部（３０）が少なくとも１つの領域（３０’）において、前記連結部（３４）に沿ってスライド動作するように傾斜していることを特徴とする子供保護システム。
【請求項９】
請求項１から８のうちのいずれか一項に記載の子供保護システムであって、
前記上部バックレスト部（３０）に少なくとも２つのシートベルトポイント（３１，３２）が設けられており、前記シートベルトポイントは、前記シートベルト（４）のベルト部を偏向するための偏向箇所として構成されていることを特徴とする子供保護システム。
【請求項１０】
請求項９に記載の子供保護システムであって、
前記シートベルトポイント（３１，３２）は、前記上部バックレスト部（３０）の細穴によって形成されていることを特徴とする子供保護システム。
【請求項１１】
請求項１から１０のうちのいずれか一項に記載の子供保護システムであって、
前記ベルトポイント（３１，３２）に配置された少なくとも１つのシートベルト（４）のベルト部（４１，４２）が、ショルダーベルト部とされていることを特徴とする子供保護システム。
【請求項１２】
請求項１から１１のうちのいずれか一項に記載の子供保護システムであって、
前記上部バックレスト部（３０）は、レール（２５ａ）において前記バックレスト長手方向（Ｌ）に沿って移動可能に案内されることを特徴とする子供保護システム。
【請求項１３】
請求項１から１２のうちのいずれか一項に記載の子供保護システムであって、
前記上部バックレスト部（３０）は、ロック機構（２６，２７；３６，３７）によってそれぞれの設定位置でのロックが可能とされていることを特徴とする子供保護システム。
【請求項１４】
請求項１３に記載の子供保護システムであって、
前記ロック機構（２６，２７；３６，３７）は、ラッチ機構からなることを特徴とする子供保護システム。
【請求項１５】
請求項１３又は１４に記載の子供保護システムであって、
前記ロック機構（２６，２７；３６，３７）は、ロック状態に弾性付勢されることを特徴とする子供保護システム。
【請求項１６】
請求項１３から１５のうちのいずれか一項に記載の子供保護システムであって、
前記ロック機構（２６，２７；３６，３７）をロック解除するために制御手段（３８，３９）が設けられていることを特徴とする子供保護システム。
【請求項１７】
請求項１から１６のうちのいずれか一項に記載の子供保護システムであって、
前記ベルトポイント（３１，３２）の設定位置を出力可能とする表示装置（５，６）が設けられていることを特徴とする子供保護システム。
【請求項１８】
請求項１７に記載の子供保護システムであって、
前記表示装置（５，６）は、前記上部バックレスト部（３０）の動作の間に相対移動が可能とされたスケール（５）及び表示窓（６）から構成され、これら構成要素（５，６）のうちの１つが、調節される前記ベルトポイント（３１，３２）とともに移動可能とされることを特徴とする子供保護システム。
【請求項１９】
請求項１から１８のうちのいずれか一項に記載の子供保護システムであって、
少なくとも１つのベルトポイント（３１，３２）の位置が片手で調節可能とされることを特徴とする子供保護システム。
【発明の詳細な説明】
【技術分野】
【０００１】
本発明は、請求項１の前文に記載の子供保護システムに関するものである。
【背景技術】
【０００２】
そのような子供保護システムは、例えばチャイルドシートとして言及されており、シートシェルと、子供の胴体の背面を支持するべくバックレスト長手方向に沿って延在するバックレストと、バックレストのうちシートシェルに移動可能に配設された上部バックレスト部と、少なくとも１つのベルトポイントを介して上部バックレスト部に配設されたシートベルトとを備える。
【０００３】
このシートベルトは、特に３点式又は５点式のベルトシステムとされることが可能であり、子供保護システム及び／又は車両周辺領域の支持構造の３点又は５点において、規定の態様でシートベルトが配設されている。そのようなシートベルトは、シートベルトを幼児体型の人体測定規格に合わせるべく、従って子供保護システムにおいて、子供が最も快適で最も安全性が高くなるようにするべく、子供保護システムでの各自のベルトポイントに対して調節可能とされる。
【０００４】
一方で、関連する情況下では、例えば子供の年齢、体重及び寸法に応じたシートベルトの最適な調節が確実に行なわれないことがしばしば生じる。更に、子供保護システムの支持構造に関し、規定の態様でシートベルトを配置する個別のベルトポイントの調節が難しい。
【０００５】
一方では、子供保護システムのシートシェルにおいて子供の最も快適な位置を実現するために、ベルトポイントの位置の調節によってはシートベルトの外形が十分に変更されない。シートシェル自体において、年齢、体重、寸法に応じて子供のシート位置を設定するのが有利とされる。例えば新生児の場合には、シート位置を比較的に平坦な位置に移動させるのが有利とされる一方、年長の幼児の場合には、シートシェルにおけるシート位置は比較的に急勾配に設定されるべきである。
【０００６】
子供用のシート位置を設定するために、慣習的な子供保護システムでは、シート位置を調節し、且つ、子供を支持する機能を果たす付加的なクッションをシートシェルに配置する構成が採用されている。この場合、子供保護システムの使用者は、正しい操作方法や、クッションの有利な位置が解らないことが多く、これによりクッションが全く使用されないか、或いはクッションが不適正な形態で使用されることとなるため不利である。別の子供保護システムでは、特に新生児に最適なシート位置に調節するべく、シートシェルの外形を設定することが可能とされている。一方で、このような設定は、通常ではシートベルトの調節とは別個に行なわれなければならず、年齢、体重及び寸法に応じた最適な調節が確実に遂行されない。
【０００７】
ＥＰ  １８  １３  ４６９  Ａ１に開示の子供保護システムでは、ヘッドレストとともにシートシェルでのシート面の高さが調節可能とされている。しかしながら、この場合には、ヘッドレストの調節をシート面に結合するための機構が比較的複雑化され、しかも多数の構成部品を追加する必要がある。
【発明の開示】
【発明が解決しようとする課題】
【０００８】
本発明の目的は、上述のタイプの子供保護システムにおいて、快適で安全なシート位置の調節を、構造上簡単で信頼性が高く、同時にシートベルトを含む子供保護システムの調節が簡便で使用者にとって使い勝手が良くなるようにすることである。
【課題を解決するための手段】
【０００９】
本発明によれば、この目的は、請求項１に記載の特徴を有する子供保護システムによって解決される。
【００１０】
従って、子供保護システムは、バックレストのうち、シートシェルに配置され所定の回転軸まわりに回転可能とされた下部バックレスト部を備え、この下部バックレスト部は、当該下部バックレスト部に固定状に配置された連結部とを有し、前記連結部は、上部バックレスト部と相互作用して、上部バックレスト部の移動によって、少なくとも１つのベルトポイントの位置とともに下部バックレスト部の傾斜が調節可能とされる。
【００１１】
本発明により、バックレストでのベルトポイントの調節と、シート位置を設定するためのシートシェルの外形の調節とを結合させるというコンセプトがもたらされる。この目的のため、特に、少なくとも１つのベルトポイントが配置された上部バックレスト部の移動のために、ベルトポイントの位置が変更される場合には、更に下部バックレスト部が同時に回転され、このためシートシェルの幾何学形状が調節される。このため、上部バックレスト部は、連結部を介して下部バックレスト部に連結され、回転のために下部バックレスト部に作用する。
【００１２】
上部バックレスト部は、特に、子供の頭部及び上体（胴上部）の支持用として構成される一方、下部バックレスト部は、子供の骨盤の領域を支持する機能を果たす。上部バックレスト部の移動によって、頭部及び上体、特に子供の肩部のための支持位置が設定可能とされ、その一方で骨盤領域を所望の形態で支持するべく、下部バックレスト部が同時に回転される。新生児の場合には、下部バックレスト部を上部バックレスト部に対して傾斜した所定位置まで回転させることによって、子供がシートに平坦状に横たわる位置が実現され、その一方で、年長で高身長の幼児の場合には、バックレスト長手方向に関するシートシェルの上側位置にて、上部バックレスト部を移動させることによって、また下部及び上部バックレスト部が実質的に１つの平面を構成する所定位置で下部バックレスト部を回転させることによって、より急勾配のシート位置に調節可能とされる。この目的のため、上部バックレスト部は、バックレスト長手方向に沿って移動され、その一方で下部バックレスト部が回転状に回動するための回転軸が、バックレスト長手方向及びシートシェルに対して交差状に延在する。
【００１３】
連結部は、下部バックレスト部に対して固定され、且つ、耐トルク性の形態で配置される、すなわち下部バックレスト部に対し固定状に配設されるのが好ましい。この連結部は、例えば下部バックレスト部から突出するバルジ（張り出し部）によって形成可能とされ、上部バックレスト部は、下部バックレスト部を回転させるべく、このバルジにおいて、直接作用する接続状態を形成する。このため、下部バックレスト部に固定状に配設された連結部の形状によって、下部バックレスト部の回転動作を付与することが可能とされる。特定の一実施形態では、連結部はその外形を例えばくさび形（「断面Ｖ字形」ともいう）として構成することができ、下部バックレスト部から突出し、また上部バックレスト部の移動時に、当該上部バックレスト部の少なくとも一部の領域が、連結部に沿ってスライド移動するように傾斜した傾斜面を含む。下部バックレスト部の実際の支持面に対して傾斜した傾斜面に沿って上部バックレスト部がスライド動作するため、上部バックレスト部が下部バックレスト部に所定の調節力（調節荷重）を付与し、その結果、下部バックレスト部が回転軸まわりに回転される。
【００１４】
本発明における解決策のため、いわゆるベルト高さ、例えばバックレストでバックレスト長手方向に沿った２つのベルトポイントの高さが、子供保護システムのバックレストの外形とともに調節可能とされ、２つのベルトポイントは特に、バックレスト長手方向に交差して一方の後に続いて他方が配置され、またそれぞれベルトシステムのシートベルト用の偏向点（変更箇所）を形成する。これら偏向点は、それぞれの場合にシートベルトのベルト部が挿通可能なスロット（細穴）とすることができる。本発明における解決策によれば、調節が可能とされた上部バックレスト部の操作領域を適正に構成することによって、複数のベルトポイントを、バックレストの外形の調節とともに片手で調節することが可能となり、これは、上部バックレスト部を移動させることによって、上部バックレスト部に配置された少なくとも１つのベルトポイントの位置を、下部バックレスト部の傾斜とともに、子供保護システムの単一の（１つの）アセンブリの調節でリセット可能だからである。
【００１５】
上部バックレスト部を従前の設定位置にて拘束するべく、子供保護システムの調節可能な上部バックレスト部に、ロック機構が設けられる。この目的のため、ロック機構は、例えば取り付け要素、特にはラッチ要素の形態の取り付け要素を備え、当該ラッチ要素は、一方では上部バックレスト部に、他方では子供保護システムの一構成要素に設けられ、上部バックレスト部とともには移動可能とされず、また上部バックレスト部を従前の設定位置にてロックするべく、所定の形状適合の形態で互いに係合可能とされる。
【００１６】
特定の一実施の形態によれば、例えばラッチ開口の形態のラッチ箇所を有するラッチレールが設けられ、当該ラッチ開口は一方の後に続いて他方が配置され、個別のラッチ開口が上部バックレスト部の異なる調節位置を規定し、またラッチ開口に対してラッチ突起が割り当てられ、そのラッチ突起は、上部バックレスト部の調節位置に応じて、ラッチ開口のいずれか１つに係合する。このため、ラッチ突起は、ロック状態へと弾性付勢されるのが好ましい。
【００１７】
変更例として、ラッチレールに複数のラッチ突起を設けることもでき、個別のラッチ突起がそれぞれ上部バックレスト部の調節位置を規定し、また複数のラッチ突起に対して所定のラッチ開口が割り当てられ、上部バックレスト部の調節位置に依存するそのラッチ開口が、ラッチ突起のいずれか１つに係合可能とされる。
【００１８】
子供保護システムの上部バックレスト部には、表示装置が割り当てられるのが好ましく、この表示装置によって、子供保護システムの上部バックレスト部のそれぞれの設定位置を出力可能とされる。例えば、上部バックレスト部に配置され、且つ表示窓を通して視認可能とされたスケール（「表示目盛」ないし「表示値」ともいう）を設けることができる。
【００１９】
本発明に基づくコンセプトは、図面に示される実施形態において、より詳細に説明される。
【図面の簡単な説明】
【００２０】
【図１】一体化されたベルトシステムと、可動性の上部バックレスト部と、回動性の下部バックレスト部とを備えたチャイルドシートの形態の子供保護システムの前方斜視図である。
【図２】図１中の子供保護システムの後方斜視図である。
【図３】可動性の上部バックレスト部と、回動性の下部バックレスト部を備えるチャイルドシートの形態の子供保護システムの断面図である。
【図４】図３中の子供保護システムの新生児用の位置での断面図である。
【図５】図３中の子供保護システムの年長幼児用の位置での断面図である。
【発明を実施するための形態】
【００２１】
図１及び図２には、自動車用チャイルドシート、すなわち自動車シート上の装置の実施形態が斜視図にて示されており、このチャイルドシートは、シートシェル１（「シート本体」ないし「シート外郭」ともいう）から突出しつつバックレスト長手方向Ｌに沿って延在するバックレスト２と、ベルトシステムとを備えている。バックレスト２は、シートシェル１上に着座している子供の背面を支持する機能を果たし、そこでは子供の脊柱が実質的にバックレスト長手方向Ｌに沿って延在する。シート面１０を形成するシートシェル１は、バックサポート（「背面支持部」ともいう）２０を形成するバックレスト２と同様に、それぞれ子供の通常のシート位置を（中央へと）安定させるためのシート側壁部１１，１２；２１，２２を備えている。
【００２２】
調節が可能とされたバックレスト部３の形態の可動性アセンブリが、チャイルドシート１のバックレスト２に一体状に組み込まれており、そのバックレスト部は、上部バックレスト部３０及び下部バックレスト部３３によって、バックレスト２のバックサポート２０の一部を形成している。このバックレスト部３は、その上部バックレスト部３０での偏向位置の形態としての２つのベルトポイント３１，３２（シートベルトが偏向される「ベルト点」ともいう）を備えており、そのベルトポイントにおいては、ベルト部４１，４２、すなわち子供保護システムのシートベルト４のショルダーベルト部がそれぞれ案内され、且つ、偏向される（ベルトの向きが変えられる）。上部バックレスト部３０での偏向箇所の形態としてのベルトポイント３１，３２は、本実施の形態の場合にはそれぞれ、シートベルト４のショルダーベルト部４１，４２を挿通可能なスロット（「細穴」ないし「開口」ともいう）として構成されている（図１及び図２参照）。このため、シートベルト４はそれぞれ、これら２つのベルトポイント４１，４２（偏向箇所）に配設され、当該２つのベルトポイントは、子供保護システムの支持構造体、すなわちバックレスト２の上部バックレスト部３０での規定の態様で、バックレスト長手方向Ｌに交差しつつ互いに離間している。
【００２３】
シートベルト４を３点式又は５点式のベルトシステムの一部とすることができ、３点式のベルトシステムでは、第３のベルト部が、シートシェルの前側領域に配設された所定のベルトポイントにて案内され、５点式のベルトシステムでは、更に第４及び第５のベルト部が、シート面１０のバックレスト側壁部１１，１２のベルトポイントに配設される。
【００２４】
図１及び図２に示すように、バックレスト部３は、上部バックレスト部３０及び下部バックレスト部３３を有する２つの部分で構成されている。このため、上部バックレスト部３０は、バックレスト２においてバックレスト長手方向Ｌに移動可能に配設される一方、下部バックレスト部３３は、所定の旋回継ぎ手によって形成される回転軸３３ａ（「旋回軸」ともいう）まわりに回転状に回動可能とされた状態でバックレスト２にて支持されている。２部材からなるバックレスト部３がバックレスト２のバックサポート２０を形成することにより、チャイルドシートに着座している子供に対し、バックサポート２０の外形（「外郭」ないし「輪郭」ともいう）を種々変更して設定することができ、このため子供の寸法、年齢及び体重に応じてシート位置を調節することが可能とされる。
【００２５】
上部バックレスト部３０のバックレスト長手方向Ｌに沿った移動によって下部バックレスト部３３が回転軸３３ａまわりに自動的に回転するように、上部バックレスト部３０及び下部バックレスト部３３が互いに連結されている。
【００２６】
上部バックレスト部３０と下部バックレスト部３３との間の連結機構の一実施の形態が、図３から図５の断面図にて示されている。図３から図５に示されるように、下部バックレスト部３３にバルジ（「張り出し部」ないし「突出部」ともいう）の形態の連結部３４が形成されており、このバルジは、下部バックレスト部３３から突出しつつシートシェル１に向けて延在している。下部バックレスト部３３は、シートシェル１では回転軸３３ａまわりに回転状に配置され、またチャイルドシートに着座している子供の骨盤領域（「下腹部領域」ないし「腰部領域」ともいう）を支持するバックレスト２の下部領域において単に延在している。連結部３４は、上部バックレスト部３０の位置に応じて、上部バックレスト部３０の下部領域３０’と相互作用し、これにより上部バックレスト部３０と下部バックレスト部３３との間に連結状態を形成する。
【００２７】
図３では、上部バックレスト部３０を下部バックレスト部３３に向けて最大限に移動させた（シフト）状態の下側位置での当該上部バックレスト部３０を示している。この位置では、連結部３４が上部バックレスト部３０の下部領域３０’上に完全に当接しており（支持されており）、これにより下部バックレスト部３３は、上部バックレスト部３０に対して回転し且つ傾斜する。この位置において下部バックレスト部３３は起立され、図４に示すように、チャイルドシートの子供Ｋが、特に新生児に適した、平坦で、ほぼ横たわった状態のシート位置に設定される。
【００２８】
上部バックレスト部３０が、図３及び図４に示す下側位置からバックレスト長手方向Ｌに沿って上方へ移動するとき、この上部バックレスト部３０の下部領域３０’は、連結部３４に沿ってスライド移動し、下部領域３０’の端部は、所定の傾斜面を有するくさび形（「断面Ｖ字形」ともいう）の連結部３４に沿って案内され、このようにして下部バックレスト部３３をシートシェル１の底部に向けて回転させる。適用可能ならば、下部バックレスト部３３を、図３から図４において時計回りに回転するように回転軸３３ａまわりに弾性付勢することも可能とされ、これにより上部バックレスト部３０の移動時に、下部バックレスト部３３がバックレスト２に向けて自動的に回転する。
【００２９】
図５では、上部バックレスト部３０が、上方に向けて最大限に移動した位置、特に年長の幼児に適した位置にて示されている。この位置では、連結部３４がシートシェル１のベース領域上に支持され、これにより下部バックレスト部３３及び上部バックレスト部３０が実質的に１つの平面上にて延在している。このようにして、チャイルドシートは、年長の幼児に適した比較的急勾配のシート位置に設定され、上部バックレスト部３０の移動に伴って、バックレスト２でのベルトポイント３１，３２の高さが同様に調節され、このためシートベルト４の調節は、バックレスト外形の調節と同時で、且つ、強制的に連結された形態で行なわれる。
【００３０】
連結部３４は、図３から図５に示されるように、所定の傾斜面を有するくさび形とされ得る。連結部３４は、その形状のために、上部バックレスト部３０の移動位置に応じて、下部バックレスト部３３の回転動作を規定する。適用可能ならば、連結部３４は、下部領域３０’との相互作用によって異なる回転動作を規定するべく、その外形が、例えば半円状や正弦曲線のような異なる形状をなすこともできる。
【００３１】
上部バックレスト部３０は、その（平行移動方向の）可動性により、レール２５ａにて長手方向に移動する形態で案内されるのが有利であり、このレールは、上部バックレスト部３０の移動経路に沿って、すなわちバックレスト長手方向Ｌに沿って延在しており、シートベルト４のベルト高さ、すなわちショルダーベルト部４１，４２を案内し且つ配置する子供保護システムの偏向箇所３１，３２の位置は、バックレスト長手方向Ｌに沿って、また（上部バックレスト部３０の移動によって）実際の偏向位置３１，３２の両方に共通して調節可能とされる。上部バックレスト部３０が下部バックレスト部３３に作用して、当該下部バックレスト部を回転させることによって同時に、下部バックレスト部３３の傾斜（傾斜度）が、ベルト高さの調節とともに調節される。下部バックレスト部の回転は、上部バックレスト部３０の移動の間に自動的に生じ、これにより下部バックレスト部３３の調節のために別個のステップを設ける必要ない。そのため、本発明は、シートベルト４のベルト高さと、シート位置設定のためのバックレスト２の外形とに関して、これらの共通の調節を可能とするものである。このため、バックレスト２でのシートベルト４の高さを規定するベルトポイント３１，３２は、下部バックレスト部３３の回転位置に適合しており、これによりシート位置及びベルト高さはそれぞれ、チャイルドシートの子供のための所望の設定に合致する。
【００３２】
図２に示されるように、ガイドレールとしての機能を果たす長尺状に延在したレール２５ａは、バックレスト２に、詳しくはバックサポート２０に形成されており、バックレスト長手方向Ｌに関して凹部２５をつなぐ（架橋する）ものであり、その凹部は、バックサポート２０に設けられている。調節が可能とされたバックレスト部３は、その上部バックレスト部３０が、バックレスト２又はチャイルドシートを使用している子供に対向するバックサポート２０の前面の前側に配置され、長尺状に延在するガイドレール２５ａを後ろ側の横断要素の形態のガイド部３５とともに取り囲み、これにより高さ調節が可能とされた上部バックレスト部３０は、バックレスト長手方向Ｌに延在しているガイドレール２５ａにおいて、前記方向Ｌに沿って可動状（移動状）に案内される。
【００３３】
図２の後方視においても示されるように、チャイルドシートの背面側、詳しくはバックレスト２の背面側には、調節が可能とされた上部バックレスト部３０のガイド部３５に制御装置が設けられており、この制御装置は、１又は複数の制御要素３８，３９の形態の制御手段を備えており、上部バックレスト部３０をバックレスト長手方向Ｌに沿ったそれぞれの調節位置にてロックする機能を果たすラッチ機構（「掛け金状」ないし「引っ掛け状」のラッチ係合機構ともいう）は、その制御手段によってロック解除状態（アンロック状態）に設定可能とされる。
【００３４】
ラッチ機構は、ラッチ開口の形態の複数のラッチ箇所２６ａ，２７ａ（「凹状の係合箇所」ともいう）を備えており、それらは、２つのラッチレール２６，２７のそれぞれにおいて、上部バックレスト部３０の調節経路に沿って、従ってバックレスト長手方向Ｌに沿って、一方の後に続いて他方が配置されており、当該ラッチレールは、バックレスト長手方向Ｌに沿って互いに平行に延在するとともに、前記方向Ｌと交差する方向について互いに離間している。このため、ラッチ突起ないしラッチ突出部の形態のラッチ要素３６，３７（「凸状の係合要素」ともいう）が、上部バックレスト部３０の背面側に設けられ、それぞれ上部バックレスト部３０の可能な調節位置の各々において、２つのラッチレール２６，２７のラッチ開口２６ａ，２７ａのうちのいずれか１つに係合する。ラッチ突起３６，３７はそれぞれ、対応するラッチ開口２６ａ，２７ａの１つに向けて弾性付勢されており、これにより上部バックレスト部３０は、それぞれ設定されたラッチ位置にて確実に固定される。
【００３５】
この（形状適合による）ロックは、制御手段３６，３９を作動させることによって、従ってラッチ開口２６ａ，２７ａの１つに係合するラッチ突起３６，３７をそれぞれ持ち上げることによって、対応するラッチ開口２６ａ，２７ａのそれぞれから（例えば、ばね要素によって付与される）弾性的なプリテンション（弾性付勢力）に抗して外れることによって解除可能とされる。そのとき、上部バックレスト部３０は、バックレスト長手方向Ｌに沿って移動可能とされ、従ってベルト高さを調節し、同時に下部バックレスト部３３の傾斜を設定するべく、新たに位置設定がなされる。その後、上部バックレスト部３０は、現時の設定位置において、前述のラッチ機構によって再びロックされる。一方では複数のラッチ開口が割り当てられ、他方では複数のラッチ突起が割り当てられたラッチ機構を好適に構成することによって、上部バックレスト部の調節範囲を増やすこともできる。
【００３６】
ラッチレール２６，２７及びそれに設けられたラッチ開口２６ａ，２７ａに向けてラッチ要素３６，３７を弾性付勢するプリテンションのために、上部バックレスト部３の位置をバックレスト長手方向Ｌに沿って新たに調節する際には、（１又は複数の制御要素からなる）制御手段３８，３９が継続的に（常時に）作動することが必要とされる。ひとたびこの作動状態が解除されると、ラッチ要素３６，３７は、次のラッチ位置において対応するラッチ開口２６ａ，２７ａに係合する（スナップ状に留まる）。
【００３７】
結果として、調節が可能とされた上部バックレスト部３０の位置をバックレスト長手方向Ｌに沿って設定することによって、単なる１つの調節プロセスで、下部バックレスト部３３の傾斜とともに２つのベルトポイント３１，３２の位置が調節可能とされる。上部バックレスト部３０をバックレスト長手方向Ｌに沿って移動させることによって、例えばハンドルとしての機能を有し、長尺状に延在するガイドレール２５ａの後ろ側に係合するガイド部３５を把持し、且つ、前記ガイド部３５をガイドレール２５ａに沿って移動させることによって、この調節を片手で行なうことが可能であり、これにより上部バックレスト部３０が全体的に移動され、またこれにより更に下部バックレスト部３３が回転する。制御手段３８，３９としてラッチ機構のロック解除を行なう単一の（１つのみの）制御要素を用いることで、このプロセスが更に簡素化される。
【００３８】
上部バックレスト部３０の、従ってバックサポート３全体の現時の調節位置を、上部バックレスト部３０に形成された表示窓６と、上部バックレスト部３０の下方でシートシェルに配置されたスケール５とによる表示装置に出力可能である。このスケール５は、例えばチャイルドシートのシートシェル１に固定状に配置可能とされ、これによりバックレスト部３とともには（バックレスト長手方向Ｌに沿って）移動されず、その一方で表示窓６は、上部バックレスト部３０に設けられ、従ってベルト高さ及びシート位置を設定するべく上部バックレスト部を新たに調節する際に、上部バックレスト部３０とともにバックレスト長手方向Ｌに沿って移動される。この表示装置は、先のバックレスト部３０の絶対高さを表示する必要はなく、調節が容易になり、且つ、使用者の使い勝手が向上するように、例えば子供の身長又は年齢を表示可能とされる。
【符号の説明】
【００３９】
１  シートシェル
１０  シート面
１１，１２，２１，２２  シート側壁部
２  バックレスト
２０  バックサポート
２５  凹部
２５ａ  レール
２６ａ，２７ａ  ラッチ箇所
２６，２７  ラッチレール
３  バックレスト部
３０  上部バックレスト部
３０’  下部領域
３１，３２  ベルトポイント
３３  下部バックレスト部
３３ａ  回転軸
３４  連結部
３５  ガイド部
３６，３７  ラッチ要素
３８，３９  制御要素
４  シートベルト
４１，４２  ベルト部
５  スケール
６  表示窓
Ｄ  回転動作
Ｋ  子供
Ｌ  バックレスト長手方向
Ｖ  移動動作
【図１】
2010538885.tif 000003
【図２】
2010538885.tif 000004
【図３】
2010538885.tif 000005
【図４】
2010538885.tif 000006
【図５】
2010538885.tif 000007
【手続補正書】
【提出日】平成22年5月20日(2010.5.20)
【手続補正１】
【補正対象書類名】明細書
【補正対象項目名】全文
【補正方法】変更
【補正の内容】
【発明の詳細な説明】
【技術分野】
【０００１】
本発明は、請求項１の前文に記載の子供保護システムに関するものである。
【背景技術】
【０００２】
そのような子供保護システムは、例えばチャイルドシートとして言及されており、シートシェルと、子供の胴体の背面を支持するべくバックレスト長手方向に沿って延在するバックレストと、バックレストのうちシートシェルに移動可能に配設された上部バックレスト部と、少なくとも１つのベルトポイントを介して上部バックレスト部に配設されたシートベルトとを備える。
【０００３】
このシートベルトは、特に３点式又は５点式のベルトシステムとされることが可能であり、子供保護システム及び／又は車両周辺領域の支持構造の３点又は５点において、規定の態様でシートベルトが配設されている。そのようなシートベルトは、シートベルトを幼児体型の人体測定規格に合わせるべく、従って子供保護システムにおいて、子供が最も快適で最も安全性が高くなるようにするべく、子供保護システムでの各自のベルトポイントに対して調節可能とされる。
【０００４】
一方で、関連する情況下では、例えば子供の年齢、体重及び寸法に応じたシートベルトの最適な調節が確実に行なわれないことがしばしば生じる。更に、子供保護システムの支持構造に関し、規定の態様でシートベルトを配置する個別のベルトポイントの調節が難しい。
【０００５】
一方では、子供保護システムのシートシェルにおいて子供の最も快適な位置を実現するために、ベルトポイントの位置の調節によってはシートベルトの外形が十分に変更されない。シートシェル自体において、年齢、体重、寸法に応じて子供のシート位置を設定するのが有利とされる。例えば新生児の場合には、シート位置を比較的に平坦な位置に移動させるのが有利とされる一方、年長の幼児の場合には、シートシェルにおけるシート位置は比較的に急勾配に設定されるべきである。
【０００６】
子供用のシート位置を設定するために、慣習的な子供保護システムでは、シート位置を調節し、且つ、子供を支持する機能を果たす付加的なクッションをシートシェルに配置する構成が採用されている。この場合、子供保護システムの使用者は、正しい操作方法や、クッションの有利な位置が解らないことが多く、これによりクッションが全く使用されないか、或いはクッションが不適正な形態で使用されることとなるため不利である。別の子供保護システムでは、特に新生児に最適なシート位置に調節するべく、シートシェルの外形を設定することが可能とされている。一方で、このような設定は、通常ではシートベルトの調節とは別個に行なわれなければならず、年齢、体重及び寸法に応じた最適な調節が確実に遂行されない。
【０００７】
ＥＰ  １８  １３  ４６９  Ａ１に開示の子供保護システムでは、ヘッドレストとともにシートシェルでのシート面の高さが調節可能とされている。しかしながら、この場合には、ヘッドレストの調節をシート面に結合するための機構が比較的複雑化され、しかも多数の構成部品を追加する必要がある。
【発明の開示】
【発明が解決しようとする課題】
【０００８】
本発明の目的は、上述のタイプの子供保護システムにおいて、快適で安全なシート位置の調節を、構造上簡単で信頼性が高く、同時にシートベルトを含む子供保護システムの調節が簡便で使用者にとって使い勝手が良くなるようにすることである。
【課題を解決するための手段】
【０００９】
本発明によれば、この目的は、請求項１に記載の特徴を有する子供保護システムによって解決される。
【００１０】
従って、子供保護システムは、バックレストのうち、シートシェルに配置され所定の回転軸まわりに回転可能とされた下部バックレスト部を備え、この下部バックレスト部は、当該下部バックレスト部に固定状に配置された連結部とを有し、前記連結部は、上部バックレスト部と相互作用して、上部バックレスト部の移動によって、少なくとも１つのベルトポイントの位置とともに下部バックレスト部の傾斜が調節可能とされる。
【００１１】
本発明により、バックレストでのベルトポイントの調節と、シート位置を設定するためのシートシェルの外形の調節とを結合させるというコンセプトがもたらされる。この目的のため、特に、少なくとも１つのベルトポイントが配置された上部バックレスト部の移動のために、ベルトポイントの位置が変更される場合には、更に下部バックレスト部が同時に回転され、このためシートシェルの幾何学形状が調節される。このため、上部バックレスト部は、連結部を介して下部バックレスト部に連結され、回転のために下部バックレスト部に作用する。
【００１２】
上部バックレスト部は、特に、子供の頭部及び上体（胴上部）の支持用として構成される一方、下部バックレスト部は、子供の骨盤の領域を支持する機能を果たす。上部バックレスト部の移動によって、頭部及び上体、特に子供の肩部のための支持位置が設定可能とされ、その一方で骨盤領域を所望の形態で支持するべく、下部バックレスト部が同時に回転される。新生児の場合には、下部バックレスト部を上部バックレスト部に対して傾斜した所定位置まで回転させることによって、子供がシートに平坦状に横たわる位置が実現され、その一方で、年長で高身長の幼児の場合には、バックレスト長手方向に関するシートシェルの上側位置にて、上部バックレスト部を移動させることによって、また下部及び上部バックレスト部が実質的に１つの平面を構成する所定位置で下部バックレスト部を回転させることによって、より急勾配のシート位置に調節可能とされる。この目的のため、上部バックレスト部は、バックレスト長手方向に沿って移動され、その一方で下部バックレスト部が回転状に回動するための回転軸が、バックレスト長手方向及びシートシェルに対して交差状に延在する。
【００１３】
連結部は、下部バックレスト部に対して固定され、且つ、耐トルク性の形態で配置される、すなわち下部バックレスト部に対し固定状に配設されるのが好ましい。この連結部は、例えば下部バックレスト部から突出するバルジ（張り出し部）によって形成可能とされ、上部バックレスト部は、下部バックレスト部を回転させるべく、このバルジにおいて、直接作用する接続状態を形成する。このため、下部バックレスト部に固定状に配設された連結部の形状によって、下部バックレスト部の回転動作を付与することが可能とされる。特定の一実施形態では、連結部はその外形を例えばくさび形（「断面Ｖ字形」ともいう）として構成することができ、下部バックレスト部から突出し、また上部バックレスト部の移動時に、当該上部バックレスト部の少なくとも一部の領域が、連結部に沿ってスライド移動するように傾斜した傾斜面を含む。下部バックレスト部の実際の支持面に対して傾斜した傾斜面に沿って上部バックレスト部がスライド動作するため、上部バックレスト部が下部バックレスト部に所定の調節力（調節荷重）を付与し、その結果、下部バックレスト部が回転軸まわりに回転される。
【００１４】
本発明における解決策のため、いわゆるベルト高さ、例えばバックレストでバックレスト長手方向に沿った２つのベルトポイントの高さが、子供保護システムのバックレストの外形とともに調節可能とされ、２つのベルトポイントは特に、バックレスト長手方向に交差して一方の後に続いて他方が配置され、またそれぞれベルトシステムのシートベルト用の偏向点（変更箇所）を形成する。これら偏向点は、それぞれの場合にシートベルトのベルト部が挿通可能なスロット（細穴）とすることができる。本発明における解決策によれば、調節が可能とされた上部バックレスト部の操作領域を適正に構成することによって、複数のベルトポイントを、バックレストの外形の調節とともに片手で調節することが可能となり、これは、上部バックレスト部を移動させることによって、上部バックレスト部に配置された少なくとも１つのベルトポイントの位置を、下部バックレスト部の傾斜とともに、子供保護システムの単一の（１つの）アセンブリの調節でリセット可能だからである。
【００１５】
上部バックレスト部を従前の設定位置にて拘束するべく、子供保護システムの調節可能な上部バックレスト部に、ロック機構が設けられる。この目的のため、ロック機構は、例えば取り付け要素、特にはラッチ要素の形態の取り付け要素を備え、当該ラッチ要素は、一方では上部バックレスト部に、他方では子供保護システムの一構成要素に設けられ、上部バックレスト部とともには移動可能とされず、また上部バックレスト部を従前の設定位置にてロックするべく、所定の形状適合の形態で互いに係合可能とされる。
【００１６】
特定の一実施の形態によれば、例えばラッチ開口の形態のラッチ箇所を有するラッチレールが設けられ、当該ラッチ開口は一方の後に続いて他方が配置され、個別のラッチ開口が上部バックレスト部の異なる調節位置を規定し、またラッチ開口に対してラッチ突起が割り当てられ、そのラッチ突起は、上部バックレスト部の調節位置に応じて、ラッチ開口のいずれか１つに係合する。このため、ラッチ突起は、ロック状態へと弾性付勢されるのが好ましい。
【００１７】
変更例として、ラッチレールに複数のラッチ突起を設けることもでき、個別のラッチ突起がそれぞれ上部バックレスト部の調節位置を規定し、また複数のラッチ突起に対して所定のラッチ開口が割り当てられ、上部バックレスト部の調節位置に依存するそのラッチ開口が、ラッチ突起のいずれか１つに係合可能とされる。
【００１８】
子供保護システムの上部バックレスト部には、表示装置が割り当てられるのが好ましく、この表示装置によって、子供保護システムの上部バックレスト部のそれぞれの設定位置を出力可能とされる。例えば、上部バックレスト部に配置され、且つ表示窓を通して視認可能とされたスケール（「表示目盛」ないし「表示値」ともいう）を設けることができる。
【００１９】
本発明に基づくコンセプトは、図面に示される実施形態において、より詳細に説明される。
【図面の簡単な説明】
【００２０】
【図１】一体化されたベルトシステムと、可動性の上部バックレスト部と、回動性の下部バックレスト部とを備えたチャイルドシートの形態の子供保護システムの前方斜視図である。
【図２】図１中の子供保護システムの後方斜視図である。
【図３】可動性の上部バックレスト部と、回動性の下部バックレスト部を備えるチャイルドシートの形態の子供保護システムの断面図である。
【図４】図３中の子供保護システムの新生児用の位置での断面図である。
【図５】図３中の子供保護システムの年長幼児用の位置での断面図である。
【発明を実施するための形態】
【００２１】
図１及び図２には、自動車用チャイルドシート、すなわち自動車シート上の装置の実施形態が斜視図にて示されており、このチャイルドシートは、シートシェル１（「シート本体」ないし「シート外郭」ともいう）から突出しつつバックレスト長手方向Ｌに沿って延在するバックレスト２と、ベルトシステムとを備えている。バックレスト２は、シートシェル１上に着座している子供の背面を支持する機能を果たし、そこでは子供の脊柱が実質的にバックレスト長手方向Ｌに沿って延在する。シート面１０を形成するシートシェル１は、バックサポート（「背面支持部」ともいう）２０を形成するバックレスト２と同様に、それぞれ子供の通常のシート位置を（中央へと）安定させるためのシート側壁部１１，１２；２１，２２を備えている。
【００２２】
調節が可能とされたバックレスト部３の形態の可動性アセンブリが、チャイルドシート１のバックレスト２に一体状に組み込まれており、そのバックレスト部は、上部バックレスト部３０及び下部バックレスト部３３によって、バックレスト２のバックサポート２０の一部を形成している。このバックレスト部３は、その上部バックレスト部３０での偏向位置の形態としての２つのベルトポイント３１，３２（シートベルトが偏向される「ベルト点」ともいう）を備えており、そのベルトポイントにおいては、ベルト部４１，４２、すなわち子供保護システムのシートベルト４のショルダーベルト部がそれぞれ案内され、且つ、偏向される（ベルトの向きが変えられる）。上部バックレスト部３０での偏向箇所の形態としてのベルトポイント３１，３２は、本実施の形態の場合にはそれぞれ、シートベルト４のショルダーベルト部４１，４２を挿通可能なスロット（「細穴」ないし「開口」ともいう）として構成されている（図１及び図２参照）。このため、シートベルト４はそれぞれ、これら２つのベルトポイント４１，４２（偏向箇所）に配設され、当該２つのベルトポイントは、子供保護システムの支持構造体、すなわちバックレスト２の上部バックレスト部３０での規定の態様で、バックレスト長手方向Ｌに交差しつつ互いに離間している。
【００２３】
シートベルト４を３点式又は５点式のベルトシステムの一部とすることができ、３点式のベルトシステムでは、第３のベルト部が、シートシェルの前側領域に配設された所定のベルトポイントにて案内され、５点式のベルトシステムでは、更に第４及び第５のベルト部が、シート面１０のバックレスト側壁部１１，１２のベルトポイントに配設される。
【００２４】
図１及び図２に示すように、バックレスト部３は、上部バックレスト部３０及び下部バックレスト部３３を有する２つの部分で構成されている。このため、上部バックレスト部３０は、バックレスト２においてバックレスト長手方向Ｌに移動可能に配設される一方、下部バックレスト部３３は、所定の旋回継ぎ手によって形成される回転軸３３ａ（「旋回軸」ともいう）まわりに回転状に回動可能とされた状態でバックレスト２にて支持されている。２部材からなるバックレスト部３がバックレスト２のバックサポート２０を形成することにより、チャイルドシートに着座している子供に対し、バックサポート２０の外形（「外郭」ないし「輪郭」ともいう）を種々変更して設定することができ、このため子供の寸法、年齢及び体重に応じてシート位置を調節することが可能とされる。
【００２５】
上部バックレスト部３０のバックレスト長手方向Ｌに沿った移動によって下部バックレスト部３３が回転軸３３ａまわりに自動的に回転するように、上部バックレスト部３０及び下部バックレスト部３３が互いに連結されている。
【００２６】
上部バックレスト部３０と下部バックレスト部３３との間の連結機構の一実施の形態が、図３から図５の断面図にて示されている。図３から図５に示されるように、下部バックレスト部３３にバルジ（「張り出し部」ないし「突出部」ともいう）の形態の連結部３４が形成されており、このバルジは、下部バックレスト部３３から突出しつつシートシェル１に向けて延在している。下部バックレスト部３３は、シートシェル１では回転軸３３ａまわりに回転状に配置され、またチャイルドシートに着座している子供の骨盤領域（「下腹部領域」ないし「腰部領域」ともいう）を支持するバックレスト２の下部領域において単に延在している。連結部３４は、上部バックレスト部３０の位置に応じて、上部バックレスト部３０の下部領域３０’と相互作用し、これにより上部バックレスト部３０と下部バックレスト部３３との間に連結状態を形成する。
【００２７】
図３では、上部バックレスト部３０を下部バックレスト部３３に向けて最大限に移動させた（シフト）状態の下側位置での当該上部バックレスト部３０を示している。この位置では、連結部３４が上部バックレスト部３０の下部領域３０’上に完全に当接しており（支持されており）、これにより下部バックレスト部３３は、上部バックレスト部３０に対して回転し且つ傾斜する。この位置において下部バックレスト部３３は起立され、図４に示すように、チャイルドシートの子供Ｋが、特に新生児に適した、平坦で、ほぼ横たわった状態のシート位置に設定される。
【００２８】
上部バックレスト部３０が、図３及び図４に示す下側位置からバックレスト長手方向Ｌに沿って上方へ移動するとき、この上部バックレスト部３０の下部領域３０’は、連結部３４に沿ってスライド移動し、下部領域３０’の端部は、所定の傾斜面を有するくさび形（「断面Ｖ字形」ともいう）の連結部３４に沿って案内され、このようにして下部バックレスト部３３をシートシェル１の底部に向けて回転させる。適用可能ならば、下部バックレスト部３３を、図３から図４において時計回りに回転するように回転軸３３ａまわりに弾性付勢することも可能とされ、これにより上部バックレスト部３０の移動時に、下部バックレスト部３３がバックレスト２に向けて自動的に回転する。
【００２９】
図５では、上部バックレスト部３０が、上方に向けて最大限に移動した位置、特に年長の幼児に適した位置にて示されている。この位置では、連結部３４がシートシェル１のベース領域上に支持され、これにより下部バックレスト部３３及び上部バックレスト部３０が実質的に１つの平面上にて延在している。このようにして、チャイルドシートは、年長の幼児に適した比較的急勾配のシート位置に設定され、上部バックレスト部３０の移動に伴って、バックレスト２でのベルトポイント３１，３２の高さが同様に調節され、このためシートベルト４の調節は、バックレスト外形の調節と同時で、且つ、強制的に連結された形態で行なわれる。
【００３０】
連結部３４は、図３から図５に示されるように、所定の傾斜面を有するくさび形とされ得る。連結部３４は、その形状のために、上部バックレスト部３０の移動位置に応じて、下部バックレスト部３３の回転動作を規定する。適用可能ならば、連結部３４は、下部領域３０’との相互作用によって異なる回転動作を規定するべく、その外形が、例えば半円状や正弦曲線のような異なる形状をなすこともできる。
【００３１】
上部バックレスト部３０は、その（平行移動方向の）可動性により、レール２５ａにて長手方向に移動する形態で案内されるのが有利であり、このレールは、上部バックレスト部３０の移動経路に沿って、すなわちバックレスト長手方向Ｌに沿って延在しており、シートベルト４のベルト高さ、すなわちショルダーベルト部４１，４２を案内し且つ配置する子供保護システムの偏向箇所３１，３２の位置は、バックレスト長手方向Ｌに沿って、また（上部バックレスト部３０の移動によって）実際の偏向位置３１，３２の両方に共通して調節可能とされる。上部バックレスト部３０が下部バックレスト部３３に作用して、当該下部バックレスト部を回転させることによって同時に、下部バックレスト部３３の傾斜（傾斜度）が、ベルト高さの調節とともに調節される。下部バックレスト部の回転は、上部バックレスト部３０の移動の間に自動的に生じ、これにより下部バックレスト部３３の調節のために別個のステップを設ける必要ない。そのため、本発明は、シートベルト４のベルト高さと、シート位置設定のためのバックレスト２の外形とに関して、これらの共通の調節を可能とするものである。このため、バックレスト２でのシートベルト４の高さを規定するベルトポイント３１，３２は、下部バックレスト部３３の回転位置に適合しており、これによりシート位置及びベルト高さはそれぞれ、チャイルドシートの子供のための所望の設定に合致する。
【００３２】
図２に示されるように、ガイドレールとしての機能を果たす長尺状に延在したレール２５ａは、バックレスト２に、詳しくはバックサポート２０に形成されており、バックレスト長手方向Ｌに関して凹部２５をつなぐ（架橋する）ものであり、その凹部は、バックサポート２０に設けられている。調節が可能とされたバックレスト部３は、その上部バックレスト部３０が、バックレスト２又はチャイルドシートを使用している子供に対向するバックサポート２０の前面の前側に配置され、長尺状に延在するガイドレール２５ａを後ろ側の横断要素の形態のガイド部３５とともに取り囲み、これにより高さ調節が可能とされた上部バックレスト部３０は、バックレスト長手方向Ｌに延在しているガイドレール２５ａにおいて、前記方向Ｌに沿って可動状（移動状）に案内される。
【００３３】
図２の後方視においても示されるように、チャイルドシートの背面側、詳しくはバックレスト２の背面側には、調節が可能とされた上部バックレスト部３０のガイド部３５に制御装置が設けられており、この制御装置は、１又は複数の制御要素３８，３９の形態の制御手段を備えており、上部バックレスト部３０をバックレスト長手方向Ｌに沿ったそれぞれの調節位置にてロックする機能を果たすラッチ機構（「掛け金状」ないし「引っ掛け状」のラッチ係合機構ともいう）は、その制御手段によってロック解除状態（アンロック状態）に設定可能とされる。
【００３４】
ラッチ機構は、ラッチ開口の形態の複数のラッチ箇所２６ａ，２７ａ（「凹状の係合箇所」ともいう）を備えており、それらは、２つのラッチレール２６，２７のそれぞれにおいて、上部バックレスト部３０の調節経路に沿って、従ってバックレスト長手方向Ｌに沿って、一方の後に続いて他方が配置されており、当該ラッチレールは、バックレスト長手方向Ｌに沿って互いに平行に延在するとともに、前記方向Ｌと交差する方向について互いに離間している。このため、ラッチ突起ないしラッチ突出部の形態のラッチ要素３６，３７（「凸状の係合要素」ともいう）が、上部バックレスト部３０の背面側に設けられ、それぞれ上部バックレスト部３０の可能な調節位置の各々において、２つのラッチレール２６，２７のラッチ開口２６ａ，２７ａのうちのいずれか１つに係合する。ラッチ突起３６，３７はそれぞれ、対応するラッチ開口２６ａ，２７ａの１つに向けて弾性付勢されており、これにより上部バックレスト部３０は、それぞれ設定されたラッチ位置にて確実に固定される。
【００３５】
この（形状適合による）ロックは、制御手段３６，３９を作動させることによって、従ってラッチ開口２６ａ，２７ａの１つに係合するラッチ突起３６，３７をそれぞれ持ち上げることによって、対応するラッチ開口２６ａ，２７ａのそれぞれから（例えば、ばね要素によって付与される）弾性的なプリテンション（弾性付勢力）に抗して外れることによって解除可能とされる。そのとき、上部バックレスト部３０は、バックレスト長手方向Ｌに沿って移動可能とされ、従ってベルト高さを調節し、同時に下部バックレスト部３３の傾斜を設定するべく、新たに位置設定がなされる。その後、上部バックレスト部３０は、現時の設定位置において、前述のラッチ機構によって再びロックされる。一方では複数のラッチ開口が割り当てられ、他方では複数のラッチ突起が割り当てられたラッチ機構を好適に構成することによって、上部バックレスト部の調節範囲を増やすこともできる。
【００３６】
ラッチレール２６，２７及びそれに設けられたラッチ開口２６ａ，２７ａに向けてラッチ要素３６，３７を弾性付勢するプリテンションのために、上部バックレスト部３の位置をバックレスト長手方向Ｌに沿って新たに調節する際には、（１又は複数の制御要素からなる）制御手段３８，３９が継続的に（常時に）作動することが必要とされる。ひとたびこの作動状態が解除されると、ラッチ要素３６，３７は、次のラッチ位置において対応するラッチ開口２６ａ，２７ａに係合する（スナップ状に留まる）。
【００３７】
結果として、調節が可能とされた上部バックレスト部３０の位置をバックレスト長手方向Ｌに沿って設定することによって、単なる１つの調節プロセスで、下部バックレスト部３３の傾斜とともに２つのベルトポイント３１，３２の位置が調節可能とされる。上部バックレスト部３０をバックレスト長手方向Ｌに沿って移動させることによって、例えばハンドルとしての機能を有し、長尺状に延在するガイドレール２５ａの後ろ側に係合するガイド部３５を把持し、且つ、前記ガイド部３５をガイドレール２５ａに沿って移動させることによって、この調節を片手で行なうことが可能であり、これにより上部バックレスト部３０が全体的に移動され、またこれにより更に下部バックレスト部３３が回転する。制御手段３８，３９としてラッチ機構のロック解除を行なう単一の（１つのみの）制御要素を用いることで、このプロセスが更に簡素化される。
【００３８】
上部バックレスト部３０の、従ってバックサポート３全体の現時の調節位置を、上部バックレスト部３０に形成された表示窓６と、上部バックレスト部３０の下方でシートシェルに配置されたスケール５とによる表示装置に出力可能である。このスケール５は、例えばチャイルドシートのシートシェル１に固定状に配置可能とされ、これによりバックレスト部３とともには（バックレスト長手方向Ｌに沿って）移動されず、その一方で表示窓６は、上部バックレスト部３０に設けられ、従ってベルト高さ及びシート位置を設定するべく上部バックレスト部を新たに調節する際に、上部バックレスト部３０とともにバックレスト長手方向Ｌに沿って移動される。この表示装置は、先のバックレスト部３０の絶対高さを表示する必要はなく、調節が容易になり、且つ、使用者の使い勝手が向上するように、例えば子供の身長又は年齢を表示可能とされる。
【００３９】
本発明では、「自動車シート用子供保護システムにおいて、シートシェルと、シートのうち子供の胴体の背面を支持するべくバックレスト長手方向に沿って延在するバックレストと、シートベルトと、を備え、前記バックレストには、前記シートシェルに移動可能に配置されるとともに、前記シートベルトが配置された少なくとも１つのベルトポイントを有する上部バックレスト部が設けられ、前記バックレスト（２）の下部バックレスト部（３３）は、回転軸（３３ａ）まわりに回転可能とされて前記シートシェル（１）に配置され、前記下部バックレスト部（３３）は、当該下部バックレスト部に固定状に配置された連結部を有し、前記連結部が前記上部バックレスト部（３０）と相互作用することで、前記上部バックレスト部（３０）の移動によって、少なくとも１つのベルトポイント（３１，３２）の位置とともに前記下部バックレスト部（３）の傾斜が調節されることを特徴とする子供保護システム、又は自動車シート用子供保護システムにおいて、シートシェルと、シートのうち子供の胴体の背面を支持するべくバックレスト長手方向に沿って延在するバックレストと、シートベルトと、を備え、前記バックレストには、前記シートシェルに移動可能に配置されるとともに、前記シートベルトが配置された少なくとも１つのベルトポイントを有する上部バックレスト部が設けられ、前記バックレスト（２）の下部バックレスト部（３３）は、回転軸（３３ａ）まわりに回転可能とされて前記シートシェル（１）に配置され、前記下部バックレスト部（３３）は、当該下部バックレスト部に固定状に配置された連結部を有し、前記連結部が前記上部バックレスト部（３０）と相互作用することで、前記上部バックレスト部（３０）の移動によって、少なくとも１つのベルトポイント（３１，３２）の位置とともに前記下部バックレスト部（３）の傾斜が調節され、前記上部バックレスト部（３０）が子供（Ｋ）の頭部及び上体を支持するよう構成され、前記下部バックレスト部（３３）が子供（Ｋ）の骨盤領域を支持するよう構成されていることを特徴とする子供保護システムであって、前記上部バックレスト部（３０）は、前記バックレスト（２）が延在する前記バックレスト長手方向（Ｌ）に沿って移動可能とされていることを特徴とする子供保護システム」という態様（態様１）を採り得る。
また本発明では、「請求項１から３、前記態様１のうちのいずれかに記載の子供保護システムであって、前記連結部（３１）は、前記下部バックレスト部（３３）に対し固定され、且つ、耐トルク性の形態で配設されていることを特徴とする子供保護システム」という態様（態様２）を採り得る。
また本発明では、「請求項１から３、前記態様１から２のうちのいずれかに記載の子供保護システムであって、前記上部バックレスト部（３０）は、前記下部バックレスト部（３３）を回転させるべく、前記下部バックレスト部（３３）に固定状に配置された前記連結部（３４）に対して直接作用する接続状態を形成することを特徴とする子供保護システム」という態様（態様３）を採り得る。
また本発明では、「請求項１から５、前記態様１から３のうちのいずれかに記載の子供保護システムであって、前記上部バックレスト部（３０）に少なくとも２つのシートベルトポイント（３１，３２）が設けられており、前記シートベルトポイントは、前記シートベルト（４）のベルト部を偏向するための偏向箇所として構成されていることを特徴とする子供保護システム」という態様（態様４）を採り得る。
また本発明では、「請求項１から１２、前記態様１から４のうちのいずれかに記載の子供保護システムであって、前記ベルトポイント（３１，３２）の設定位置を出力可能とする表示装置（５，６）が設けられていることを特徴とする子供保護システム」という態様（態様５）を採り得る。
【符号の説明】
【００４０】
１  シートシェル
１０  シート面
１１，１２，２１，２２  シート側壁部
２  バックレスト
２０  バックサポート
２５  凹部
２５ａ  レール
２６ａ，２７ａ  ラッチ箇所
２６，２７  ラッチレール
３  バックレスト部
３０  上部バックレスト部
３０’  下部領域
３１，３２  ベルトポイント
３３  下部バックレスト部
３３ａ  回転軸
３４  連結部
３５  ガイド部
３６，３７  ラッチ要素
３８，３９  制御要素
４  シートベルト
４１，４２  ベルト部
５  スケール
６  表示窓
Ｄ  回転動作
Ｋ  子供
Ｌ  バックレスト長手方向
Ｖ  移動動作
【手続補正２】
【補正対象書類名】特許請求の範囲
【補正対象項目名】全文
【補正方法】変更
【補正の内容】
【特許請求の範囲】
【請求項１】
自動車シート用子供保護システムであって、
シートシェルと、
シートのうち子供の胴体の背面を支持するべくバックレスト長手方向に沿って延在するバックレストと、
シートベルトと、を備え、
前記バックレストには、前記シートシェルに移動可能に配置されるとともに、前記シートベルトが配置された少なくとも１つのベルトポイントを有する上部バックレスト部が設けられ、
前記バックレスト（２）の下部バックレスト部（３３）は、回転軸（３３ａ）まわりに回転可能とされて前記シートシェル（１）に配置され、前記下部バックレスト部（３３）は、当該下部バックレスト部に固定状に配置された連結部を有し、前記連結部が前記上部バックレスト部（３０）と相互作用することで、前記上部バックレスト部（３０）の移動によって、少なくとも１つのベルトポイント（３１，３２）の位置とともに前記下部バックレスト部（３）の傾斜が調節されることを特徴とする子供保護システム。
【請求項２】
請求項１に記載の子供保護システムであって、
前記上部バックレスト部（３０）が子供（Ｋ）の頭部及び上体を支持するよう構成され、前記下部バックレスト部（３３）が子供（Ｋ）の骨盤領域を支持するよう構成されていることを特徴とする子供保護システム。
【請求項３】
請求項１又は２に記載の子供保護システムであって、
前記回転軸（３３ａ）は、前記バックレスト長手方向（Ｌ）に交差して延在していることを特徴とする子供保護システム。
【請求項４】
請求項１から３のうちのいずれか一項に記載の子供保護システムであって、
前記下部バックレスト部（３０）に固定状に配置された前記連結部（３４）の形状によって、前記下部バックレスト部（３３）の回転動作（Ｄ）が付与されることを特徴とする子供保護システム。
【請求項５】
請求項４に記載の子供保護システムであって、
前記連結部（３４）は、くさび形とされるとともに傾斜面を有し、前記傾斜面は、前記上部バックレスト部（３０）の移動時に前記下部バックレスト部（３３）を前記回転軸（３３ａ）まわりに回転させるべく、前記上部バックレスト部（３０）が少なくとも１つの領域（３０’）において、前記連結部（３４）に沿ってスライド動作するように傾斜していることを特徴とする子供保護システム。
【請求項６】
請求項１から５のうちのいずれか一項に記載の子供保護システムであって、前記上部バックレスト部（３０）に少なくとも２つのシートベルトポイント（３１，３２）が設けられており、前記シートベルトポイントは、前記シートベルト（４）のベルト部を偏向するための偏向箇所として構成され、前記シートベルトポイント（３１，３２）は、前記上部バックレスト部（３０）の細穴によって形成されていることを特徴とする子供保護システム。
【請求項７】
請求項１から６のうちのいずれか一項に記載の子供保護システムであって、
前記ベルトポイント（３１，３２）に配置された少なくとも１つのシートベルト（４）のベルト部（４１，４２）が、ショルダーベルト部とされていることを特徴とする子供保護システム。
【請求項８】
請求項１から７のうちのいずれか一項に記載の子供保護システムであって、
前記上部バックレスト部（３０）は、レール（２５ａ）において前記バックレスト長手方向（Ｌ）に沿って移動可能に案内されることを特徴とする子供保護システム。
【請求項９】
請求項１から８のうちのいずれか一項に記載の子供保護システムであって、
前記上部バックレスト部（３０）は、ロック機構（２６，２７；３６，３７）によってそれぞれの設定位置でのロックが可能とされていることを特徴とする子供保護システム。
【請求項１０】
請求項９に記載の子供保護システムであって、
前記ロック機構（２６，２７；３６，３７）は、ラッチ機構からなることを特徴とする子供保護システム。
【請求項１１】
請求項９又は１０に記載の子供保護システムであって、
前記ロック機構（２６，２７；３６，３７）は、ロック状態に弾性付勢されることを特徴とする子供保護システム。
【請求項１２】
請求項９から１１のうちのいずれか一項に記載の子供保護システムであって、
前記ロック機構（２６，２７；３６，３７）をロック解除するために制御手段（３８，３９）が設けられていることを特徴とする子供保護システム。
【請求項１３】
請求項１から１２のうちのいずれか一項に記載の子供保護システムであって、前記ベルトポイント（３１，３２）の設定位置を出力可能とする表示装置（５，６）が設けられており、前記表示装置（５，６）は、前記上部バックレスト部（３０）の動作の間に相対移動が可能とされたスケール（５）及び表示窓（６）から構成され、これら構成要素（５，６）のうちの１つが、調節される前記ベルトポイント（３１，３２）とともに移動可能とされることを特徴とする子供保護システム。
【請求項１４】
請求項１から１３のうちのいずれか一項に記載の子供保護システムであって、
少なくとも１つのベルトポイント（３１，３２）の位置が片手で調節可能とされることを特徴とする子供保護システム。
【国際調査報告】
2010538885.tif 000008
2010538885.tif 000009
2010538885.tif 000010
2010538885.tif 000011